(57)【要約】ヒトの急性ストレスを測定するために、心理的及び生理的構成要素を定量化するための方法及び装置が提供され、その中で刺激を被検者の検査の間の環境に適用することができる。方法は、その間に生理的測定が採取及び「測定」される複数のストレス／弛緩区間を伴い、また被検者の心理的状態を「測定」するため各区間の後に回答されるアンケートを伴う。コンピュータ制御の検査装置は生理的測定を取得する際、また被検者がアンケートに答える際に用いられる。「刺激」は香り、風味、製品、又は作業であり得、通常、「ブランクの刺激」がストレス区間の１つの間に用いられる。
2005521506.tif 000002
【特許請求の範囲】
【請求項１】
個人の急性ストレスを評価するための方法であって、前記方法は、
（ａ）データの保存のための記憶回路、インターフェース回路、処理回路、及び前記インターフェース回路と通信する少なくとも１つの感知装置を有するコンピュータ制御の装置を提供する工程であって、前記少なくとも１つの感知装置は、被検者の少なくとも１つの生理的パラメーターを感知するために用いられる工程と、
（ｂ）第一のストレス区間を開始する工程であって、その区間の間前記被検者は、何らかの急性ストレスを引き起こすよう設計された少なくとも１つの予め定められた作業を実行する工程と、
（ｃ）第一のアンケート区間を開始する工程であって、その区間の間前記被検者は、急性ストレスの少なくとも１つの心理的構成要素を評価するために設計された質問に答える工程と、
（ｄ）第一の弛緩区間を開始する工程であって、その区間の間前記被検者は、くつろぐことを許される工程と、
（ｅ）第二のアンケート区間を開始する工程であって、その区間の間前記被検者は、急性ストレスの少なくとも１つの心理的構成要素を評価するために設計された質問に答える工程と、
（ｆ）第二のストレス区間を開始する工程であって、その区間の間前記被検者は、何らかの急性ストレスを引き起こすために設計された少なくとも１つの所定の作業を実行する工程と、
（ｇ）第三のアンケート区間を開始する工程であって、その区間の間前記被検者は、急性ストレスの少なくとも１つの心理的構成要素を評価するために設計された質問に答える工程とを備えた方法であり、
刺激は、（ｉ）前記第一のストレス区間、（ｉｉ）前記第一の弛緩区間、及び（ｉｉｉ）前記第二のストレス区間のうちの少なくとも１つの間前記被検者の環境に導入されてもよいことを特徴とする方法。
【請求項２】
前記刺激は、（ａ）香り、（ｂ）風味、（ｃ）作業、及び（ｄ）製品のうちの１つを含み、好ましくは、前記香りは、固体形態、液体形態、及び気体形態のうちの１つであり、前記風味は、固体形態、液体形態、及び気体形態のうちの１つであり、前記作業は、急性ストレスを減少するか又は急性ストレスを増加するかのいずれかの傾向であり得る活動を含み、前記製品は、液体香料、気体臭気、医療用具、及び治療用具のうちの１つであることを特徴とする請求項１に記載の方法。
【請求項３】
アンケートは、少なくとも１つの前記アンケート区間の間に用いられ、及び前記被検者は、急性ストレスの少なくとも１つの心理的構成要素を評価するために設計された前記アンケートからの質問に答え、好ましくは、前記アンケートは、急性ストレスの知覚される生理的効果を測定する複数の即答用の質問を含むことを特徴とする請求項１又は２に記載の方法。
【請求項４】
前記第一のストレス区間に入る前に、慢性ストレスのアンケートがその後に続く初期基準区間を更に備えたことを特徴とする請求項１〜３のいずれか一項に記載の方法。
【請求項５】
複数の更なるストレス区間及び弛緩区間であって、前記区間の各々の後に更なるアンケート区間が続く区間を更に備えたことを特徴とする請求項１〜４のいずれか一項に記載の方法。
【請求項６】
前記少なくとも１つの感知装置は、非侵襲的装置であり、好ましくは前記少なくとも１つの感知装置は、脈波血流量（ＢＶＰ）感知装置及びＥＫＧ感知装置のうちの少なくとも１つを含み、好ましくは前記少なくとも１つの感知装置は、心拍期間（heart period）、脈拍伝播時間、末梢血流、及び通常の心拍間の標準偏差（ＳＤＮＮ）のうちの少なくとも１つについてのデータを生成するために用いられることを特徴とする請求項１〜５のいずれか一項に記載の方法。
【請求項７】
前記アンケートは、エネルギー、快感、緊張、怒り、全面的弛緩、筋肉の緊張、神経質、及び専念／集中のうちの少なくとも１つを含む予め定められた心理的パラメーターについてのデータを生成するために用いられ、前記予め定められた心理的パラメーターは、分析し、個人的なストレス特性、及びストレス対弛緩の効果の差分グラフのうちの少なくとも１つを生成することを特徴とする請求項１〜６のいずれか一項に記載の方法。
【請求項８】
データの保存のための記憶回路と、
被検者の少なくとも１つの生理的パラメーターを検出するために用いられる少なくとも１つの感知装置と、
前記少なくとも１つの感知装置と通信するインターフェース回路と、
前記記憶回路と前記インターフェース回路の間のデータの流れを制御するために構成される処理回路であって、前記処理回路は、（ａ）少なくとも１つのストレス区間の間、前記少なくとも１つの生理的パラメーターを監視するため、（ｂ）少なくとも１つの弛緩区間の間、前記少なくとも１つの生理的パラメーターを監視するため、並びに（ｃ）（ｉ）前記少なくとも１つのストレス区間、及び（ｉｉ）前記少なくとも１つの弛緩区間のうちの１つの間刺激を前記被検者の環境に導入するために構成される処理回路とを含むことを特徴とする検査装置。
【請求項９】
前記刺激は、（ａ）香り、（ｂ）風味、（ｃ）作業、及び（ｄ）製品のうちの１つを含み、好ましくは前記香りは、固体形態、液体形態、及び気体形態のうちの１つであり、前記風味は、固体形態、液体形態、及び気体形態のうちの１つであり、前記作業は、急性ストレスを減少するか又はストレスを増加するかのいずれかの傾向であり得る活動を含み、前記製品は、液体香料、気体臭気、医療用具、及び治療用具のうちの１つであることを特徴とする請求項８に記載の検査装置。
【請求項１０】
前記処理回路は、前記少なくとも１つのストレス及び弛緩区間の各々の後に、アンケートに回答する前記被検者により入力されたデータを受信するよう更に構成され、前記アンケートの一組の質問は、急性ストレスの少なくとも１つの心理的構成要素を評価するために設計されることを特徴とする請求項８又は９に記載の検査装置。
【発明の詳細な説明】
【技術分野】
【０００１】
本発明は一般にストレス測定の方法に関するが、特に急性ストレスに関係する芳香、製品、及び作業（又はその他の影響）の生理的及び心理的効果を定量的に測定する種類のストレス測定プロトコル（Stress Measurement Protocol）（ＳＭＰ）を対象とする。本発明は、急性ストレスに関連する個人の生理的パラメーターを測定し、急性ストレスに対する個人の心理的反応を同時に測定する方法により動作する、コンピュータ制御の検査装置として具体的に開示される。
【背景技術】
【０００２】
ストレスは測定することが難しいものであったし、今もなお難しいものである。ストレスを測定する際の難しさの１つは、ストレスの正確な定義がないことに直接起因する。ストレスの定義の１つは：「ストレスは何らかの要求に対する身体の非特定的な応答である。（Stress is the non specific response of the body to any demand.）」（ハンス・セリエ（Hans Selye）、「苦痛なきストレス（Stress without Distress）」、フィラデルフィア：リッピンコット（Lippincott）出版、１９７４年）である。ストレスを測定する際のもう１つの難しさは、その診断にある。ストレスは、様々な程度の特異度を有する様々な一般的症状により現れる。ストレスを診断するのは難しいが、それはストレスが様々な程度の特異度を有する様々な一般的症状により現れるためである。そのパターンは、刺激（要求又は圧力）、その蓄積と同様に、個人の生命体としての素因（弱いつながり）の相関関係である。
【０００３】
一般的な「弱いつながり」及びその異常症状の例は、（１）脳の過剰なストレス：倦怠感、うずきと痛み、ひとしきり泣くこと、抑うつ、不安発作、不眠、脳の収縮；（２）胃腸管：潰瘍、急激な腹痛及び下痢、大腸炎、過敏性腸症候群、甲状腺異常；（３）その他：かゆい皮膚発疹、感染への抵抗力の減少、高血圧、心臓発作、脳卒中などである。
【０００４】
もう１つの難しさはヒトのストレス応答の複雑さである。身体的（体の）事象をもたらさない心理的事象はなく、逆もまた同様であるため、ストレスを測定するためには「心と体」の両方を考慮しなくてはならない。ストレスは、心理的及び生理的構成要素の両方を有し、１つだけの構成要素を測定することは完全な理解を提供するのには不十分である。ストレス応答は個人によって大きく変わる。例えば、ある個人は、ストレスの増加に伴って皮膚電位に大きな変化を見せ、心拍数及び末梢血流量には中程度の変化を示す場合があるが、別の個人は反対のパターンを示す場合がある。
【０００５】
図１は、ジョージ・エヴァリー博士（Dr. George Everly）の研究に基づき（本発明の発明者の１人によって変更されているが）、測定の影響を受けやすいストレス応答の個所を理解するための枠組みを提供する、ヒトのストレス応答のモデルを示している。ストレス応答は、一連の生物過程を動かし始める、脳により解釈されるストレッサー事象により始まる。この解釈は、様々な身体的、心理的、及び社会的要因により影響される。事象が起きると、認知／情動領域は、ほとんどのストレス応答において重要な「原因となる」相である。認知的評価は、どのように個人がストレスを知覚するかであり、これは美のように、見る人次第である。情動の統合は、情緒の安定の効果である。両方共が生物学的素因、人格型、学習の歴史、及び資源によって影響される。
【０００６】
事象が脅威として知覚されると、身体は次のような三段階により進行するストレス応答を始める：
（１）神経：交感神経系の即時活性化があり、これは末梢血流の減少、心拍の増進、瞳孔散大、唾液の増粘、及び幾つかのその他の生理的変化を結果としてもたらす。
（２）神経内分泌：エピネフリン（アドレナリン）及びノルエピネフリン（ノルアドレナリン）のようなホルモン放出のほぼ即時効果があるが、これは内分泌腺系を活性化し、「闘争か逃走か」の応答を始める。
（３）内分泌腺：内分泌腺は、ＡＣＴＨ及びコルチゾールのような強力なストレスホルモンを大量に放出し、ストレス反応を延長させる。
【０００７】
上記の結果のすべては、対処行動の何らかの形態を結果としてもたらす。ストレスについての幾つかの形態の「治療」は、過去において実施され又は理論化されてきた。心理療法は、より適応性のある健康促進の認知／情動方式について用いられてきた。別の治療方法はある種の製品、例えば：技術、ゲーム、又は心の状態を整えること、及び「マインド・チャッター（mind chatter）」のようなストレスが喚起する考え、悪い記憶又は予想を軽減することを用いてきた。治療のその他の形態には：音楽又はアロマセラピー（記憶を呼び起こし、気分を変えると報告されている）が挙げられてきたが、これは平和と安寧を生み出すための思考に導くことが知られている。
【０００８】
アロマセラピーは民間伝承として何世紀もの間存在してきたが、ヒトの心理及び生理へのアロマセラピーの効果についての厳密な科学的調査はほとんど行われていなかった。これには多くの科学的、社会的、及び経済的理由がある。アロマセラピーの効果を測定する際の幾つかの科学的難しさは次のとおりである：
（１）アロマセラピーの請求は広範囲で、和らげる、調和させる、幸福、官能、安らぎなどのような、幾分不明瞭な言葉を用いて、明確に定義されていない傾向がある。（２）ストレスもまた幾分不明瞭で、明確に定義されていない。ストレスには標準定義がなく、結果として、ストレス測定の広く受容されている標準もない。このことの１つの理由は、各個人のストレスへの心理的及び生理的応答が異なり、時間の経過と共に変化し得ることである。（３）アロマセラピーの効果の規模はおそらく小さく、それらを単離することを難しくしている。（４）心−体の連結がここでは特に強い。臭気物質への個人の生理的反応は、臭気物質への彼らの心理的応答、即ちその個人がその臭いが好きか否かに依存する場合があるという、多くの科学的証拠が存在する。（５）ブッフバウアー（Buchbauer）による動物の研究は、精油の特定の種類のみが―実際、ある場合には香り分子の特定のエナンチオマーのみが―アロマセラピー効果を生み出すことを示している。このことは、アロマセラピーに関する科学的文献の中の、幾つかの矛盾する発見を説明することができる。例えば、ラベンダー属は、効果を生み出すために必要な様々な構成成分の的確な量、比率、又は化学種を含有していない場合もある。
【０００９】
先行技術のある特許文献は、ストレスの測定を扱っており、「香りの抗ストレス効果（Antistress Effects of Fragrances）」を測定するための方法は、ポーラ化学工業社（Pola Chemical Industry,Inc.）による公開特許出願番号ＨＥ１１（１９９１年）１９０７６に開示されている。心理的ストレスが香りの存在下において、又は存在する状態で加えられ、唾液の試料が暴露の前後に採取された。唾液中のアドレノコルチコール（adrenocorticol）ホルモンの濃度が測定された。あいにく、この方法はかなり侵襲的であり（血液又は尿の試料のように）、被検者のストレスを増加して、測定に複雑さを加えるため望ましくない。アドレノコルチコール（adrenocorticol）ホルモンは第二工程で放出され、急性ストレスにおいて短命であり、更には測定されるのに十分な量では放出されない場合がある。それを急性ストレスにおいて測定することは、その短い半減期のために非常に難しい。
【００１０】
ウオーレン（Warren）らの欧州特許第０１８３４３６Ｂ２号（１９９１年）による別の特許文献では、ストレスが最大血圧及び自己記入アンケートにより測定されたが、その中で応答者は自分たちの弛緩、怒り、不安、幸福、緊張、困惑、落ち着き、恐れ、及び眠さの程度を７点の尺度で示した。多数の活性臭気物質が、単独で又は複合体の香りの中に組み込まれてのいずれかにより投与される場合に、上記のヒトのパラメーターへの効果を著しく有することが見出された。これらの発見は、同じ実験で採取された最大血圧の測定と類似していた。しかしながら、１つの測定では確定的でなく、ほとんどの上記の基礎的な感情と血圧との間の関係を誰も見出さなかった。
【００１１】
大部分の以前の「ストレス測定」方法の欠点の１つは、一種類のストレス構成要素（生理的特性又は心理的特性のいずれか）のみが評価され、両方は評価されていないことである。このことの１つの例外が、オックスフォード大学出版（Oxford University Press）により２００１年に出版された、エヴァ・ホイベルガー（Eva Heuberger）らの「キラル香料のヒトの自律神経系パラメーターへの効果及び自己評価（Effects of Chiral Fragrances on Human Autonomic Nervous System Parameters and Self-evaluation）」という題名の論文に開示された。しかしながら、この論文でさえ、「ストレス」及び「弛緩」の両方の周期における香りの効果を測定するための方法は提供していない。
【００１２】
自律神経系誌（Journal of the Autonomic Nervous System）、７５巻、１９９９年、１７６〜１８３ページに見られる、ベルネ−モーリー（Vernet-Maury）らによる「臭気物質により引き起こされる基礎的感情：自律神経系のパターンの結果に基づく新しい手法（Basic emotions induced by odorants: a new approach based on autonomic pattern results）」という題名の別の論文は、複数の生理的測定を用いる先行技術の例である。しかしながら、ベルネ−モーリー（Vernet-Maury）らはこれらの測定をストレスを測定するために用いず、代わりに、測定は、被検者の臭気物質への応答を基礎的感情（即ち、幸福、驚き、悲しみ、恐れ、嫌悪、又は怒り）の１つに分類する試みにおいて用いられた。この論文はストレスを評価するための方法を提供せず、及びまた臭気物質を「ストレス」及び「弛緩」の周期に用いていない。
【発明の開示】
【発明が解決しようとする課題】
【００１３】
国際神経科学誌（International Journal of Neuroscience）、９６巻、１９９８年、２１７ページ〜２２４ページに見られるディエゴ（Diego）らによる「アロマセラピーは気分、覚醒のＥＥＧパターン、及び算術計算に肯定的に影響する（Aromatherapy Positively Affects Mood, EEG Patterns of Alertness and Math Computations）」という題名の更に別の論文は、ＥＥＧ感知装置を用いてアロマセラピーが施される前、間、後の被検者の脳波を監視する実験について記載している。この論文の中では、被検者の気分及び不安への臭気物質の効果を確かめるために、即答用アンケートが施行される。この論文の中に記載される方法は、ストレスの間の臭気物質の効果を評価せず、「ストレス」及び「弛緩」の周期を利用していない。
【課題を解決するための手段】
【００１４】
それ故に、ストレス及び弛緩の交互の期間の間の生理的及び心理的情報の両方を獲得することにより、ヒトの被検者の急性ストレスの程度を検査及び評価するための方法及び装置を提供することは、本発明の利点である。
【００１５】
被検者に、香り、風味、若しくは製品のような刺激を受けさせる間、又は被検者が活動若しくは作業を実行する間の生理的及び心理的情報の両方を用いることにより、ヒトの被検者の急性ストレスの程度を検査及び評価するための方法及び装置を提供することは、本発明の別の利点である。
【００１６】
ＥＫＧ及び脈波血流量（ＢＶＰ）感知装置のような生体内感知装置から生理的データを得ることにより、及びアンケートから心理的データを得ることにより、ヒトの被検者の急性ストレスの程度を検査及び評価するための方法及び装置を提供することは、本発明の更なる利点である。
【００１７】
本発明の追加的な利点及びその他の新奇な特徴は、部分的には以下に続く説明に記載されており、また部分的には以下を検討することにより当業者にとって明らかとなるであろうし、又は本発明の実践によって会得される場合もある。
【００１８】
前述の及びその他の利点を実現するために、及び本発明の第一の態様に従って、個人の急性ストレスを評価するための方法が提供されるが、その中でこの方法は：（ａ）データの保存のための記憶回路、インターフェース回路、処理回路、及びこのインターフェース回路と通信する少なくとも１つの感知装置を有するコンピュータ制御の装置を提供する工程であって、この少なくとも１つの感知装置が、被検者の少なくとも１つの生理的パラメーターを検出するために用いられる工程と；（ｂ）第一のストレス区間を開始する工程であって、その区間の間被検者が、何らかの急性ストレスを引き起こすよう設計された少なくとも１つの予め定められた作業を実行する工程と；（ｃ）第一のアンケート区間を開始する工程であって、その区間の間被検者が、急性ストレスの少なくとも１つの心理的構成要素を評価するために設計された質問に答える工程と；（ｄ）第一の弛緩区間を開始する工程であって、その区間の間被検者が、くつろぐことを許される工程と；（ｅ）第二のアンケート区間を開始する工程であって、その区間の間被検者が、急性ストレスの少なくとも１つの心理的構成要素を評価するために設計された質問に答える工程と；（ｆ）第二のストレス区間を開始する工程であって、その区間の間被検者が、何らかの急性ストレスを引き起こすよう設計された少なくとも１つの予め定められた作業を実行する工程と；（ｇ）第三のアンケート区間を開始する工程であって、その区間の間被検者が、急性ストレスの少なくとも１つの心理的構成要素を評価するために設計された質問に答える工程とを備えた方法であり；刺激は、（ｉ）第一のストレス区間、（ｉｉ）第一の弛緩区間、及び（ｉｉｉ）第二のストレス区間のうちの少なくとも１つの間前記被検者の環境に導入されてもよい。
【００１９】
本発明の別の態様に従って検査装置が提供されるが、これは：データの保存のための記憶回路と；被検者の少なくとも１つの生理的パラメーターを検出するために用いられる少なくとも１つの感知装置と；この少なくとも１つの感知装置と通信するインターフェース回路と；記憶回路とインターフェース回路の間のデータの流れを制御するために構成される処理回路とを含み、その中でこの処理回路は：（ａ）少なくとも１つのストレス区間の間、少なくとも１つの生理的パラメーターを監視するため；（ｂ）少なくとも１つの弛緩区間の間、少なくとも１つの生理的パラメーターを監視するため；及び（ｃ）（ｉ）少なくとも１つのストレス区間、及び（ｉｉ）少なくとも１つの弛緩区間のうちの１つの間、刺激を被検者の環境に導入するために構成される。
【００２０】
本発明の更に他の利点は、本発明の好ましい実施形態が、本発明を実践するために考慮された最良の様態の１つにおいて記載され、示されている以下の説明及び図面から当業者には明らかになるであろう。理解されるように、本発明はその他の異なる実施形態が可能であり、その幾つかの詳細はすべて、本発明から逸脱することなく、様々な明白な態様において変更が可能である。それ故に、図面及び説明は事実上例証としてみなされ、限定するものとしてはみなされない。
【００２１】
すべての引用された文書は、関連の部分において本明細書に参考として組み込まれる。いずれの文書の引用も、それが本発明に関して先行技術であるということの承認として解釈されるべきではない。
【発明を実施するための最良の形態】
【００２２】
本明細書に組み入れられてその一部を構成する添付図面は、本発明の幾つかの態様を図示するが、その説明及び請求項と共に本発明の原理を解説する役割を果すものである。図面は以下のとおりである：
以下、本発明の好ましい実施形態を詳細に参照するが、それらの例が添付図面に図解されており、同じ数字は図面全体を通して同一要素を示す。
【００２３】
上記のように、本発明は、香り（又はその他の影響）の急性ストレスへの生理的及び心理的効果を定量的に測定する、アロマセラピーのストレス測定プロトコル（Aromatherapy Stress Measurement Protocol）（ＳＭＰ）を伴う。図２〜３を参照すると、この実施例では少なくとも１つの香り及び「ブランク」を検査するための検査のセットアップが用いられる。本明細書に記載される幾つかの検査では、３つの香りがブランクと共に用いられる。一般に、香りは液体形態であり、液体上の空気の移動により分配されて気体状の混合物を生成する。ブランクは、水又はただの空気からなること、又はおそらく空気の移動が全くないことからなる。
【００２４】
本発明のこの説明の目的上、「香り」という用語はくつろがせるか若しくは刺激するかのいずれかであること、又はおそらく個人に中立的効果を有することができる「刺激」の種類を表すことに注意する必要がある。更に「香り」又は「刺激」という用語は、本発明の原理に関してほとんどの場合置き換えることができる。その上「香り」という用語は、文字通り実際の香り（例えば液体状態の）若しくは臭い（例えば気体状態の）を表すこともできるし、又は「香り」という用語は風味（例えば飲料中の）を表すこともできる。「香り」という用語はまた、精油、芳香、又は匂いを表すことができる。「香り」は、（低すぎてヒトに意識して感知されない濃度で）意識下であることもできるし、又は（ヒトに意識して感知されるのに十分に高い濃度で）意識下でないこともできる。最後に「香り」若しくは「刺激」という用語はまた、何らかの種類の「製品」を表すこと、又は「作業」を表すことができる。「製品」の場合には、香り／刺激という用語は、例えば香水若しくはオーデコロン、又は何らかのその他の複合製剤（例えば２つ以上の香水の混合物）；あるいは何らかの種類の治療用具又は医療用具、例えば熱いタオル又はプロクター・アンド・ギャンブル社（The Procter & Gamble Company）により所有される登録商標のサーマケア（THERMACARE）（登録商標）によるもののような、化学的に活性化される熱放出ラップを表すことができる。「作業」の場合には、香り／刺激という用語は、くつろげる何らかの活動、例えば個人が熱いシャワーを浴びる、又は食器若しくは衣類を洗浄若しくは洗濯する、アイロンをかける、又はストレスを和らげるために人間工学的に設計された何らかの他の作業を実行することを表すことができる。これらの例の更なる詳細の幾つかが、以下に論じられる。
【００２５】
交感神経系活性化の生理的測定は、プロコンポ・プラス（ProComp+）（商標）（ニューヨーク州ウエスト・シェージー（West Chazy）のソート・テクノロジーズ社（Thought Technologies,Ltd.）により製造される）と呼ばれる計測装置パッケージを用いて行われるが、これはコンピュータ１００（例えばＰＣ又はワークステーション）に取り付けられる。心理的測定は、実験の最初に施行された慢性ストレスのアンケート（図２の工程２０及び図４の工程２１２を参照のこと）、及び実験の過程で数回施行される急性ストレスの自己報告（図２の３４、４４、及び５４、並びに図４の２２２、２２６、２３２、２３６、２４２、２４６、２５２、及び２５６を参照のこと）を用いて行われる。
【００２６】
本発明の原理に従うこうした検査の一般的な方法が図２を参照して説明されるが、その後代表的なハードウェアの構成が、図３を参照して少し詳しく説明される。図２及び図３についてのこうした幾分一般的な説明の後に、具体的な検査のセットアップ及び手順の更に詳細な説明が次いで提供される。
【００２７】
図２を参照すると、参照番号１０における第一の工程で検査セッションを開始するが、最初の工程は基準データ試料の抽出を行うことである。以下で更に詳細に論じるように、被検者は幾つかの生体内感知装置に接続され、一方実験者又は「ユーザー」は、計測装置を点検して「良好な」信号が検査コンピュータ１００（図３を参照のこと）により確実に受信されるようにする。２０における次の工程を用いて、被検者に慢性ストレスのアンケートに答えてもらうことができるが、これもまた表＃３及び＃４を参照して以下で更に詳細に論じる。
【００２８】
工程３０において開始するが、ユーザーの所望する検査結果を提供する必要に応じて、被検者は一連の「ストレス」区間及び「弛緩」区間を経験する。第一のこうしたストレス区間は工程３０において起き、その中で被検者は一連の質問に答えることにより、何らかの比較的穏やかな急性ストレスを（慢性ストレスに対して）経験する。これは図４の工程２２０と同様であるが、図４は一連の「ストレス」及び「弛緩」区間、又は３つ又は４つの臭い／香りを伴う検査の「段階」を図解する。図２の図解された実施形態は、何らかの急性ストレスを被検者に引き起こすために、質問及び口頭での答えの期間を用いるが、被検者にストレスの多いフィルムの場面若しくはビデオの場面を見せたり、又は急性ストレスの手段を導入する傾向であり得る何か他の作業若しくは活動を実行させたりするなどの他の方法を代わりに用いることができることは理解されるであろう。
【００２９】
図２において工程３０は、工程３２の決定で香りが導入され得る図２のフローチャート上の最初の場合である。工程３２における唯一の決定は、どんな種類の香りが導入されるかについてである。幾人かの被検者においては、全く香りがないか、又は「香り」は無臭の水である。水の試料が「香り」として用いられる場合は、上記のように、これは「ブランク」であると考えられる。
【００３０】
工程３０の間、被検者は検査コンピュータ１００から解明される心理的データ及び生理的データの両方を有する。（第二のコンピュータを心理的データのために用いることができるが、必要ではない。）コンピュータ１００と連結した生理的感知装置により採取されるデータの種類は、以下に更に詳細に説明される。更なるデータ（心理的データ）がまた被検者のコンピュータ１００により採取されるが、被検者は、ある程度の急性ストレスを被検者に受けさせる幾つかの作業を実行するように依頼される。以下で更に詳細に論じるように、被検者は、一定量の口頭での計算を行うように依頼され、次に「反応時間訓練」及び「注意作業」のために被検者のコンピュータを用いるが、これがまた何らかの急性ストレスを導入する。
【００３１】
ストレス区間３０が完了したら、被検者は工程３４においてアンケートに答える。このアンケートは、急性ストレスを測定するために設計されており、現在の好ましい実施形態によれば、個人の気分又は感情を表現する「気分形容詞チェックリスト（mood adjective checklist）」（以下の表＃５を参照のこと）を用いるが、また被検者に、人々がストレスとしばしば結び付ける身体的症状に関連した４つのその他の「新しい」質問に答えるように依頼する。これらの４つの質問は以下に、表＃５の説明の後に、説明される。
【００３２】
工程３４において被検者がアンケートに答えるのを終了した後、検査手順は工程４０に移動するが、その中で被検者は「弛緩」区間を経験し、この区間の間は何の質問も尋ねられない。更に、被検者は検査される個人に最適であるどのような方法においてでもくつろぐように指示される。図２において示されるように、工程４２の決定で、工程４０の間に香りが導入され得る。この時点での香りの導入は必ずしも有用でない。というのは、これまでに本発明の発明者により採取されたデータが、弛緩区間４０の間は、個人を潜在的に、よりくつろがせるさせるための香りのいずれの種類の効果も、容易には目立たないことを予め示しているからである。より正確には、弛緩区間の間の個々のヒトの個々の応答は、はるかに多様であるため、工程４２において導入される香り又はその他の種類の刺激のいずれの弛緩特性も、１人の被検者と次の被検者の間では区別して測定できないか又は目立たない場合がある。いずれの種類の弛緩の効果も、例えば工程３２における香りの導入の前に実行された工程３０のように、「ストレス」区間の間により目立つように見える。
【００３３】
弛緩区間４０が予め定められた時間間隔で実行されると、被検者は工程４４において再びアンケートに答える。現在の好ましい実施形態では、４４におけるアンケートは工程３４において用いられたアンケートと同一である。これらのアンケートは、区間３０の急性ストレスからの、又は弛緩区間４０の後の被検者の心理的状態を測定することを目的とする。被検者の心理的状態の測定は、工程３２又は工程４２（工程４２が用いられる場合には）において導入された香りにより影響され得る。
【００３４】
被検者が工程４４においてアンケートを終了すると、被検者は今度は工程５０において新しい「ストレス」区間を経験し、再び一連のアンケートに答える。現在の好ましい実施形態では、工程５０において、工程３０において用いられたのと同じ種類の質問が用いられるが、質問に答えることにより被検者が被った急性ストレス下での被検者の生理的状態を測定するために、生体内感知装置が再び用いられる。今度は工程５２の決定で、所望であれば香りが導入され得る。再び、香りは水又はただの空気であり得るが、それはブランクである。もちろん工程３２においてブランクの香りが導入された場合は、工程５２におけるほとんどの実験について、評価されるべき実際の香りが導入され；又は逆もまた同様である。
【００３５】
ストレス区間５０が完了したら、被検者は工程５４において再びアンケートに答えるが、これは現在の好ましい実施形態では、工程３４及び４４においてユーザーに提供されたのと同じアンケートである。
【００３６】
決定工程６０に達したが、ここではこの被検者を用いて更にデータを採取するか否かが決定される。答えがＮＯであれば検査は完了し、工程６２に達する。一方、更にデータを採取すべきである場合は、ＹＥＳの分岐が取られ、これは論理フローをもとの工程４０に導き、被検者はもう一回弛緩区間を経験する。
【００３７】
弛緩及びストレス区間の繰返しは、実験者／ユーザーが所望する限り繰り返すことができる。図４は、一組の四回のストレス−弛緩区間を描いており、その中で４つの異なる臭いが被検者に、四回のストレス区間２２０、２３０、２４０、及び２５０の間に導入され得る。もちろん、ほとんどの実験において、ストレス区間のうちの１つは、被検者の急性ストレスの「通常」量を、一定の基準型データとして提供するために、臭いの１つとしてブランクを用いるべきである。例えば、唯一の香りを用いての検査を多くの被検者が所望される場合には、図２のフローチャート上に描かれるように、単一の弛緩区間を挟む最小の２つのストレス区間を用いることができる。
【００３８】
図３は、本発明に用いられる典型的な検査のセットアップ又は構成のハードウェアのブロック図を示す。パーソナルコンピュータ又はワークステーションが提供され、一般に参照番号１００で表記されるが、好ましくは一定の比較的標準の構成要素を含有する。こうした構成要素には、マイクロプロセッサ１１０、読み出し専用メモリ（ＲＯＭ）１１２、ランダム・アクセス・メモリ（ＲＡＭ）１１４、及び１１６における何らかの種類の大容量記憶装置、例えばディスク・ドライブ又は光学式読み出し／書き込みメモリが挙げられる。これらの構成要素は典型的にはバス１２０上で接続され、これを通ってアドレス線、データ線、制御線、及び／又は割り込み線が走る。
【００３９】
ＰＣ１００において、一組の入力／出力ドライバ１３０（インターフェース回路）が提供され、その結果ＰＣは、外部ハードウェア装置と通信することができる。シリアルポートのセットが、入力感知装置と通信するため、又は出力装置と通信するために用いられ得る。一般論として、本発明に所望される入力感知装置には、末梢血流感知装置１５０及びＥＫＧ感知装置１５２が挙げられ、これらはそれぞれ第一のシリアルポート１３２及び第二のシリアルポート１３４を通じて通信する。「ＥＫＧ」感知装置１５２は、典型的には複数のＥＫＧ感知装置パッドを具備する。
【００４０】
出力装置に関しては、香りを出力するためにオルファクトメーター１６０を用いることができ、ＰＣと第３のシリアルポート１３６を介して通信する。もう１つの出力装置は、パラレルポート１３８を介してＰＣと通信するプリンター１４０であり得る。
【００４１】
代表的なハードウェア構成において、シリアルポート１３２及びシリアルポート１３４は、末梢血流感知装置１５０及びＥＫＧ感知装置１５２と通信する単一モジュールに組み合わされる。これは、プロコンポ・プラス（ProComp+）（商標）と呼ばれる計測装置パッケージを参照して、以下に更に詳細に説明される。
【００４２】
オルファクトメーター１６０は、香りがある場合に、どの香りを被検者が存在する環境内に出力するべきかを決定するコントローラー１６２を使用する。代表的な構成において、エアポンプ１６４は、ソレノイド１８０、１８２、及び１８４のような幾つかのソレノイドと同じように、コントローラー１６２により制御される。エアポンプ１６４が作動され、ソレノイドの１つが空気にそれを通過させると、空気は管を通って香りを含有する小部屋に入り、それにより空気が液体の香りと混合されて、その混合物が検査環境に出力される。図３で、第一の香りの部屋は参照番号１７０で描かれているが、エアポンプは、開いたソレノイド１８０を通って空気を通過させ、空気／香りの混合物を「出力＃１」に提供する。同様に、１７２における第二の香りの部屋は、開いたソレノイド１８２を通って「出力＃２」に達するまで、エアポンプが空気を通過させると出力され得る。香りの数は、より多くの香りの部屋とより多くのソレノイドと制御線とを単に加えるだけで、所望するだけ多くすることができる。図３で、最後の香りの部屋は参照番号１７４で示されているが、ソレノイド１８４を通過することにより、空気／香りの混合物を「出力＃Ｎ」において出力する。図３の図解された描写において、部屋１７４は水を含有するが、そのため出力＃Ｎは実際の香りを含有しない「ブランク」の出力である。
【００４３】
様々な香り及びブランクの順序は、実験者／ユーザーにより完く選択可能であり、ストレス−弛緩区間の数もまた実験者／ユーザーにより完全に決定されることが理解されるであろう。上記したように、図４は、以下に論じるような四組のストレス−弛緩区間を示す時系列の図２００を図解している。各ストレス又は弛緩区間の前後には、被検者のストレスに関する心理的状態を評価するために使われる入力データを提供するため、アンケートが用いられる。２１２における第一のアンケート周期は、被検者の慢性ストレスの程度を検査するために用いられ得るが；しかしながら２２２において始まるその他のアンケート周期のすべては、好ましくは被検者の急性ストレスの状態を検査するために用いられる。アンケートについては、以下に更に詳細に説明される。
【００４４】
上述のように、本発明のこの説明に用いられる場合の「香り」という用語は、真の香り若しくは臭いを表すこともできるし、又は風味（例えばコーヒー、茶、ソフトドリンク、及びジュースのような飲料中の）、又は香り若しくは風味を含む何らかの種類の製品を表すことができることもまた理解されるであろう。加えて、「製品」という用語は、サーマケア（THERMACARE）（登録商標）首から腕（Neck to Arm）（商標）ラップ（芳香付き又は芳香なし）のような何らかの種類の治療若しくは医療用具、又はおそらく香水の混合物のような複合製剤を表すことができる。
【００４５】
製品はまた、美容及びヘアケア製品、例えば石鹸、シャワージェル、シャンプー、コンディショナー、パーソナルクレンジング；品質の優れた香料（fine fragrance）又はコロン；家庭用ケア製品、例えば食器洗浄製品、空気清浄剤、柔軟剤、ティッシュ、及びタオル；乳児ケア製品、例えばおむつ及び拭き取り用品；女性用ケア製品、例えばＰＭＳ（月経前緊張症）用の製品又は閉経期用の製品を表すことができる。その他の製品にはまた、練り歯磨き、ヴェポ−ラブ（VAPO-RUB）（登録商標）、及び咳止シロップのような店頭販売の品を挙げることができる。
【００４６】
更に、本発明の原理はまた、シャワーを浴びる、洗浄活動、又はおそらく食器洗い若しくは衣類のアイロンかけのような特定の作業を行う間のヒトの被検者のストレスの程度を検査するために用いることもできる。これらの身体的作業は、それ自体でくつろがせる場合又はストレスの多い場合があるが、いずれにせよ、本発明に関しては、香り（又は「刺激」）が個人の急性ストレス状態に弛緩のいずれかの更なる構成要素を加えるのか又は減じるのかをまた決定することが可能である。しかしながら、本発明の原理はまた、単に作業自体についての個人のストレスの状態を検査するために用いることもできる。
【００４７】
本発明の１つの利点は、心理的及び生理的測定の両方が同時に採取及び評価されることであるが、これは、体と心（体／心）の両方の相互作用を考慮することにより、個人の急性ストレスの程度のはるかに正確な測定を提供する。これは多くの目的に用いることができるが、過去の検査又は弛緩を決定する手順において利用できなかった、心理的及び生理的パラメーターの一定の科学的な定量化を少なくとも提供する。更に本発明の別の重要な態様は、生理的及び心理的要因が非侵襲的方法で採取されることであるが、これは例えば血液の試料若しくは尿の試料、又は更には唾液の試料を採取することと比べると大きな利点である。
【００４８】
本発明において、アンケートの使用及びある種の感知装置の使用により、システム１００は、被検者（個人）の急性ストレスの心理的及び生理的効果を評価することができる。ＳＭＰにおいて用いられる心理的アンケートは、被検者の基準のストレス状態の態様、及びプロトコルの間に適用される急性ストレッサーについての被検者の知覚を測定する。生理的測定については、ストレス応答の神経系の段階が、その効果を、体液を扱う危険又は生化学検査の犠牲を伴わない非侵襲的方法により測定されることが比較的容易であるため、集中して行われてきた。幾つかの調査パネルの後、心拍数、末梢血流、及び脈拍伝播時間（血圧の逆の関係）は、ほとんどの被検者の生理的ストレス応答を測定するために十分な情報を提供すると決定された。
【００４９】
一般に、４つの生理的測定：心拍期間（heart period）、脈拍伝播時間、末梢血流、及び通常の心拍間の標準偏差（ＳＤＮＮ）が、本発明においてストレスを定量化するために用いられる。これらの４つの測定は、典型的には、急性ストレスの生理的構成要素を測定する際の多くのその他のパラメーターより優れている。しかしながら、その他の非侵襲的測定も、１つ以上の上記のパラメーターに加えて、又はその代わりに用いることができることに注意するべきである。例えば、筋肉弛緩、皮膚温度、及び皮膚伝導度の測定は、非侵襲的感知装置により採取することができる。ＰＭＳ（月経前緊張症）を経験している女性については、筋肉弛緩の測定は、ストレスの生理的構成要素を測定する際の重要な要因であり得る。
【００５０】
上記の４つの生理的測定に関して、「心拍期間（heart period）」は、心拍間の時間の長さであり、これは心拍数の逆である。心拍期間（heart period）の増加は、一般にストレスの減少を意味する。
【００５１】
「脈拍伝播時間」は、心臓から絞り出された血液の塊が指先に到達するためにかかる時間の量であり；それは血圧の逆の類似型である。脈拍伝播時間の増加は、一般にストレスの減少を意味する。
【００５２】
「末梢血流」は、皮膚表面近くの毛管内にどれぐらいの血液が流れているかの測定である。個人がストレス下にある場合は、闘争か逃走かの準備のため、交感神経系が皮膚の毛管を収縮して筋肉への血液を止める。末梢血流の増加は、一般にストレスの減少を意味する。
【００５３】
ＳＤＮＮは、心拍数の変動の測定であり、２つの通常の心拍の間の時間の標準偏差である。ほとんどの人が、ヒトの心臓は一定の速度で鼓動する（一定の作業負荷のもとで）と考えているが；しかしながら健康な心臓の鼓動間の時間は、ほんの僅か（ミリ秒の範囲の偏差で）変化する。ストレス下では、偏差は減少する：したがってＳＤＮＮの増加は、一般にストレスの減少を意味する。
【００５４】
ＳＭＰ（検査手順）は、香りに調節されるストレス程度の違いを探すために設計された、単純盲検の四方向の交差実験である。ＳＭＰの１つの様態では、図４の２００の図の形態において示されるように、４つのストレス／弛緩周期が存在する。基準区間２１０が、検査手順２００を始め、アンケート区間２１２がその後に続く。それが起きた後、「真の」検査が一連のストレス／弛緩周期において始まる。基準区間２１０は必ず必要ではないが、それにより被検者は検査環境に幾分か慣れることができることが理解されるであろう。
【００５５】
各４分間のストレス周期の間（２２０、２３０、２４０、及び２５０）、被検者は異なる香りに暴露され、次のように３つの作業を行う：
（１）２分間の口頭での計算。被検者は三桁の数字を与えられ（例えば「１５２」）、及びすべての桁を加算し（１＋５＋２＝８）、合計をもとの数に加算し直し（１５２＋８＝１６０）、及び答えを口頭で報告しなくてはならない。これは新しい数（「１６０」）を用いて、同様に、２分間が終わるまで繰り返される。
（２）反応時間訓練。被検者は、コンピュータの画面上に無作為の時間間隔で現れる黒い正方形を見たら、直ちにコンピュータ上のスペースバーを押さなければならない。これは十回繰り返される。
（３）注意作業被検者はコンピュータのマウスのカーソルを、コンピュータ画面の周りを９０秒の間無作為に動く小さい赤い正方形上の中央に置き続けるように試みる。得点は、カーソルが正方形の上にある僅かな時間について計算される。（この作業は、ドイツのエルランゲンの大学のゲルト・コバル（Gerd Kobal）教授により考案されたことに注意されたい。）
【００５６】
５分間の弛緩区間の間（２２４、２３４、２４４、及び２５４）、室内照明は薄暗くされ、被検者はどんな方法でも自分たちにとって最良に効果のある方法でくつろぐように指示される。被検者の心電図及び末梢血流が、図３を参照して上に説明されたようなコンピュータシステムを用いて、実験（即ち、ＳＭＰ手順）の継続期間の間、生理的ストレスのデータを提供するために記録される。
【００５７】
心理的データを提供するために、各被検者は実験が始まる前に（２１２において）慢性ストレスについてのアンケートを記入し、及び基準、ストレス、及び弛緩の段階の各々の後に（即ち、区間２２２、２２６、２３２、２３６、２４２、２４６、２５２、及び２５６において）急性ストレス状態の自己報告（もう１つのアンケート）を完成する。
【００５８】
別の実施形態では、実験に二台のコンピュータが用いられてもよい。一台のコンピュータは、「パネリストコンピュータ」（示されず）と呼ばれる標準のＰＣ（例えばデスクトップ又はラップトップ型パーソナルコンピュータ）であり、これはパネリストが容易に届くところに設置され、アンケート、自己報告、及びストレス作業のすべてを適切な時間に施行するコンピュータプログラム（本発明者によりＳＭＰアドミン（SMPadmin）と呼ばれる）を実行するために用いられる。このハードウェア構成では、第二のコンピュータは生理的データを記録するために用いられ、及び「生理コンピュータ」と呼ばれる（図３の１００を参照のこと）。コンピュータプログラム（ソート・テクノロジーズ社（Thought Technologies Ltd.）によりバイオグラフ（BioGraph）と呼ばれる）は、プロコンポ・プラス（ProComp+）計測装置と共に供給され、生理コンピュータ１００上で実行される。プロコンポ・プラス（ProComp+）計測装置パッケージについては、以下に更に詳細に説明される。
【００５９】
しかしながら、この特許文書に記載された代表的な実施形態では、単一のコンピュータプラットフォームが生理的データ及び心理的データの両方を獲得し記録するために実験において用いられる。したがって、この単一コンピュータは、上記で命名された「パネリストコンピュータ」及び「生理コンピュータ」の両方として動作し、図において参照番号１００により表される。もちろん、被検者（又はパネリスト）は、コンピュータ１００に容易に届くところに配置されなければならず、このコンピュータ１００は、アンケート、自己報告、及びストレス作業のすべてを適切な時間に施行するＳＭＰアドミン（SMPadmin）コンピュータプログラムを実行するために用いられる。
【００６０】
（ＳＭＰ  時系列）：
代表的なＳＭＰ検査手順の時系列についての更に詳細な説明は、直ぐ下の表＃１に従う：
【００６１】
【表１】
2005521506.tif 000003
本発明に用いられる実験の中の関心のある主要な測定は、通常は、ストレス及び弛緩の相の間の生理的変化である。前の実験から、「差分心拍期間（heart period）」と呼ばれる心拍期間（heart period）の変化は、通常はストレス／弛緩の最も信頼できる指標であることが既知である。加えて、前の実験はまた、ほとんどの芳香の心拍期間（heart period）への効果は小さいが、くつろぐ又は刺激する香りを対照から分けるために用いることができることを示している。この効果は非常に小さいため、所望の統計的検出力を得るためには、多数のパネリストを必要とする場合がある。前のＳＭＰの実験で集められた心拍期間（heart period）のデータを用いて、次の表＃２のパネルの大きさが計算された。すべての大きさは信頼度、ａ＝０．１０についてのものである。
【００６２】
【表２】
2005521506.tif 000004
ストレス及び弛緩状態の間の心拍期間（heart period）の変化の大きさについて何らかの展望を提供するために、最初のＳＭＰ検査における、対照（ブランクの臭気物質）についての平均の差分心拍期間（heart period）は０．０５５（ＳＥ（標準誤差）０．００５）であり、対照とドラゴコ（Dragoco）のラベンダー・モンブラン（Lavender Mont Blanc）（商標）（特定の香り）の間の平均の差分心拍期間（heart period）は〜０．０１であった。
【００６３】
（対象及び除外基準）：
プロクター・アンド・ギャンブル社（The Procter & Gamble Company）における香りの一般的な検査について、以前の実験に用いられた幾つかの対象及び除外基準がある。幾つかのこれらの基準は、幾つかの基準についての論理的根拠と共に以下に列挙される。対象となる消費者に応じて、これらの基準は調整される必要がある場合もある。
【００６４】
（対象基準）：
（１）被検者は、年齢２０〜４５歳の男性又は女性であることが必要である。低い方の限界２０歳は自由裁量である。年齢４５歳後は、一般に嗅覚能力に低下がある。
（２）アンケート及びストレス作業はコンピュータを介して提示されるため、被検者は良好な視力（２０／２０矯正視力）を有し、およそ１メートルの距離からコンピュータの画面を見ることができることが必要である。
（３）被検者は、香りを嗅げることを確実にするために、予備審査に合格できなければならない。
（４）被検者は、検査前日の真夜中からカフェインを絶たなければならない。カフェインの生理的効果は、弛緩をはっきり分からなくしたり又は香りの刺激の効果を誇張したりする場合がある。
（５）被検者は、検査の日には香水又はコロンをつけていてはならない（デオドラントは許される）。
【００６５】
（除外基準）：
（１）心臓の異常／高血圧を有する人々。不整な心拍又は高血圧は、生理的測定の採取を妨げる。
（２）通常冷たい手を有するか、又は末梢血液循環が貧弱であると診断されたことがある人々。貧弱な循環は、生理的測定の採取を妨げる。
（３）喫煙者。喫煙は嗅覚能力を劇的に低下させ、生理的測定の採取を妨げる多数の生理的変化を引き起こす。嗅覚の変化及び生理的変化は、喫煙が停止した後何週間も存続するため、検査の日に喫煙しないという喫煙者もなお除外される必要がある。
（４）薬を飲んでいるか、製品を使用しているか、又はこの研究からの除外を正当化するいずれかの研究に参加している人々。再び、これは生理的測定の採取を妨げる場合がある。
（５）重要な電子医療機器（例えば、ペースメーカー、インスリンポンプなど）を有する人々；これはプロコンポ・プラス（ProComp+）モジュールを用いることに関して問題がないことを保証するための安全条件である。
（６）喘息患者、又は香りに対して過敏症である人々。
【００６６】
（慢性ストレスのアンケート）：
表３及び４（以下）に見られるＳＭＰで用いられる慢性ストレスのアンケートは、欲求不満及び過重負担を測定するために、ジョージ・エヴァリー博士（Dr. George Everly）により開発された。両方のアンケートは、４０点の尺度を用い、＜２０は低いストレスを示し、２０〜２４は中程度のストレスを示し、＞２４は高いストレスを示す。アンケートは、ＳＭＰアドミン（SMPadmin）コンピュータプログラムによって施行され得点される。得点は、パネルのために募集された被検者の集団の慢性ストレスの程度が、所望の集団に適合するか否かを評価するための診断の手段として用いられる。実施された以前の研究は、欲求不満及び過重負担が両方共、ストレス−弛緩周期により導き出される自己報告の急性ストレスの変化と正に相関すること（即ち、欲求不満及び過重負担の高得点を有する被検者は、ストレス及び弛緩期間の間でのより大きな差違を自己報告する傾向があること）を示している。
【００６７】
（表３：欲求不満のアンケート）
【００６８】
【表３】
2005521506.tif 000005
【００６９】
（表４：過重負担のアンケート）
【００７０】
【表４】
2005521506.tif 000006
【００７１】
（急性ストレスの自己報告（アンケート））：
以前の研究の幾つかでは、被検者にその時点での彼らのストレスを０〜１０の尺度で評価するようにぶしつけに頼むことにより、人々は心理的急性ストレスの状態を評価した。これはしばしば「視覚アナログスコア（visual analog score）」と呼ばれる。こうした単純化された手法には次の２つの問題がある：（１）個々の返答は信頼できない傾向がある、及び（２）主観的なストレスの状態は様々な構成要素を有し、それらの各々が測定される必要がある。本発明の代表的なＳＭＰは、本発明の発明者により開発された新しい一組の質問と、本発明の発明者により変更された、ジェラルド・マシューズ（Gerald Matthews）（現在シンシナティの大学にいるストレスの専門家）により作成されたＵＷＩＳＴの気分形容詞チェックリスト（the UWIST Mood Adjective Checklist）とを組み合わせた自己報告を用いる。
【００７２】
本発明に用いられるＵＷＩＳＴの気分形容詞チェックリスト（The UWIST Mood Adjective Checklist）は、以下の表５に示される。それは４つの得点要因：エネルギー覚醒、緊張覚醒、快感度、及び怒り／欲求不満を有する。得点が高ければ高いほど、要因はより強く被検者の全体の気分に寄与する。ＵＷＩＳＴ方法は次の４つの得点要因を有する：
「エネルギー」−エネルギー覚醒を表し；より高い得点は、被検者が、より活動的に感じていることを意味する。範囲は０〜３２である。
【００７３】
「緊張」−緊張覚醒を表し；より高い得点は、被検者が、より緊張及び不安を感じていることを意味する。範囲は０〜３２である。
【００７４】
「快感」−快感度を表し；より高い得点は、被検者が、より喜び又は幸福を感じていることを意味する。範囲は０〜３２である。
【００７５】
（表＃５：気分形容詞チェックリスト（MOOD ADJECTIVE CHECKLIST））
「人々の気分又は感情を表現する言葉のリストがあります。「現在」あなたが感じていることを、どれだけうまく各言葉が表現しているかを示してください。各言葉について、あなたの気分を一番よく表す答えを１〜４の中からまるで囲んでください。」
【００７６】
【表５】
2005521506.tif 000007
「怒り」−怒り又は欲求不満を表し；より高い得点は被検者が、より怒り及び欲求不満を感じていることを意味する。範囲は０〜２０である。
【００７７】
急性ストレス状態のアンケートは、ＳＭＰアドミン（SMPadmin）コンピュータプログラムによって、実験の各段階の間に施行され、得点される。この急性ストレスのアンケートは、以下の表＃５に見られる次の記述を含むチェックリストを含む：
（気分形容詞チェックリスト（MOOD ADJECTIVE CHECKLIST）の得点）：
次の式において、「項目（Ｘ）」は、上記のリストの形容詞「Ｘ」に提供される答えについての値を意味する。例えば、個人が「悲しい」の形容詞について「やや違う」と答えた場合は、項目（２０）＝３である。
【００７８】
エネルギー＝２０−（項目（３）＋項目（５）＋項目（１６）＋項目（２２））＋項目（７）＋項目（１１）＋項目（１９）＋項目（２４）
緊張＝２０−（項目（６）＋項目（９）＋項目（１０）＋項目（１７））＋項目（４）＋項目（１３）＋項目（１５）＋項目（２１）
快感＝２０−（項目（１）＋項目（８）＋項目（１８）＋項目（２３））＋項目（２）＋項目（１２）＋項目（１４）＋項目（２０）
怒り＝２５−（項目（２５）＋項目（２６）＋項目（２７）＋項目（２８）＋項目（２９））
【００７９】
（身体的症状に関連する「新しい」質問）：
上記のデータセットに加えて、本発明の発明者により提供された４つの「新しい」質問は、人々がしばしばストレスに結び付ける身体的症状に、次のように、より直接に関連する：
（１）「全体として、現在どれほどくつろいでいると感じますか？」
「１（非常にくつろいでいる）〜１０（全くくつろいでいない）」
（２）「あなたの頭、首、及び肩の筋肉のことを考えると、現在あなたはどのように感じますか？」
「１（完全にくつろいでいる）〜１０（完全に緊張している）」
（３）「あなたの考え又は精神状態のことを考えると、現在あなたはどのように感じますか？」
「１（容易に専念／集中することができる）〜１０（容易に専念／集中することができない）」
（４）「あなたの神経のことを考えると、現在あなたはどのように感じますか？」
「１（冷静）〜１０（不安）」
（注意）：得点が高ければ高いほど、被検者はよりストレスが多い（及びよりくつろいでいない）。
【００８０】
上記の急性ストレスのアンケートの数値結果は、上記のように被検者に用いられるコンピュータ１００上で（又はおそらく第二コンピュータ上で）集計される。数値結果は、被検者の心理的構成要素及び生理的構成要素の「完全な」報告が、単一のコンピュータプラットフォーム上で要約されることができるように蓄積される。こうした要約された報告の例が、図１０〜１３の説明と共に以下に提供される。
【００８１】
アンケートの上記の説明から見られるように、被検者は、気分の構成要素、又は急性ストレスの知覚された生理的効果を測定することに関連する、複数の「即答」用質問に答えることが要求される。これらの質問で被検者の心理的状態を測定できることが多い。
【００８２】
（香りの投与）：
ＳＭＰ実験は、３つの香り及び１つのブランク（例えば水）を検査するように設計されている。ブランクは、香りが比較される基準のストレス／弛緩応答を提供するため、通常不可欠であると考えられる。香りは実験の目的に適切な強度に、また可能であれば同様の知覚強度に希釈される必要がある。オルファクトメーターが利用できる場合は、香りを投与するためにそれを用いることができる。そうでない場合は、等しい大きさの濾紙のストリップを香りで飽和し、この濾紙を被検者のあごからおよそ１フット（３０．４８センチ）であごと同じ高さに設置された、開いた広口瓶の中に設置することにより、香りを被検者に提示することができる。実験が行われる部屋は、高い空気の回転率（少なくとも１時間当たり８回の完全な空気の入れ替えが推奨される）のために設計されているか、又は少なくとも１つの換気フードを有する必要がある。
【００８３】
香りは、統計分析の間の持ち越し効果について検査するために、次の代表的なスケジュール（表＃６を参照のこと）に従って提示されてもよい：
【００８４】
【表６】
2005521506.tif 000008
検査の順序付けは、４人の被検者の各ブロックについて繰り返すことができる。必要に応じて、４人の被検者の各ブロック内の横列を無作為に選ぶことが許容される。特定のパネルのパネリストの数が４の倍数でない場合は、表＃６のスケジュールを４人の利用可能なグループ、及び４人より少ない最後の集団に用いることが許容される。ほとんどの状況で、ブランクは香りＡであることが推奨されるが、統計分析のソフトウェアが香りＡがブランクであることを求める場合には、それは必要条件である。
【００８５】
（生理的信号の記録）：
上記のように、生理的データは、ソート・テクノロジーズ社（Thought Technologies,Ltd.）（ｗｗｗ．ｔｈｏｕｇｈｔｔｅｃｈｎｏｌｏｇｙ．ｃｏｍ）により製造された、プロコンポ・プラス・バイオフィードバック（ProComp+ biofeedback）計測装置を用いて記録される。プロコンポ・プラス（ProComp+）モジュールは、ＥＭＧ、ＥＥＧ、温度、心拍数、脈波血流量、皮膚伝導度、ＥＫＧ、及び呼吸を監視することができる８チャンネルのデジタルシステム（即ち、インターフェース回路）である。ユーザーは、１つのチャンネル、すべてのチャンネル、又は異なるものを組み合わせたチャンネルを監視することができる。ＳＭＰの実験では、２つだけのチャンネル：ＥＫＧ及び脈波血流量感知装置が用いられる。プロコンポ・プラス（ProComp+）モジュールは、光ファイバーケーブルを用いて生理コンピュータ１００上のシリアルポートに接続し、コンピュータからの電気ショックの可能性を排除している。
【００８６】
バイオグラフ（BioGraph）コンピュータプログラムは、プロコンポ・プラス（ProComp+）モジュールからの信号を見るため及び記録するために用いられる。バイオグラフ（BioGraph）のユーザー・マニュアルは、プロコンポ・プラス（ProComp+）モジュールをどのようにインストールし、構成し、使用するかについての指示を提供する。例えば、感知装置の設置の間に信号を見るためには、バイオグラフ（BioGraph）を起動し、「画面ロード（Load a Screen）」ボタンをクリックし、「ＳＭＰ」画面上でダブルクリックし、次に記録ボタンをクリックする。信号は画面上に２つのグラフで表示される。「良好な」信号が受信されるまで、感知装置（即ち、その位置）を調整することは大事であり、そうでなければ、ストレス測定ソフトウェアはうまく機能しない。感知装置の設置にユーザーが満足した場合、ユーザーは記録を停止し（データを保存する必要はない）、バイオグラフ（BioGraph）プログラムを終了してもよい。実験の間にデータを記録するためには、バイオグラフ（BioGraph）を再起動し、「アロマストレス測定（Aroma Stress Measurement）」プロトコル（本発明の発明者により作成されたコンピュータプログラム）をロードする。このプロトコルは実験の様々な段階を通じてユーザーを導く。
【００８７】
（ＥＫＧ感知装置）：
ＥＫＧ感知装置（図３の１５２））は、付随する延長リード線により、プロコンポ・プラス（ProComp+）モジュールのチャンネルＡ（例えば、シリアルポート１３２）に接続される必要がある。粘着フォームのストリップ中に埋め込まれた使い捨ての銀／塩化銀ＥＫＧ電極が、感知装置のリード線を被検者に取り付けるために用いられる。少量の電極ジェルが、被検者との電気的接続を向上するために用いられる必要がある。正（＋）のリード線が被検者の右の鎖骨に取り付けられ、負（−）のリード線が左の鎖骨に取り付けられ、アース（黒）のリード線が胸骨に取り付けられる（図５参照）。正確な取り付け部位は、強いＱＲＳスパイクが各心拍について記録される限りは重要ではない。ＥＫＧ波形のＱＲＳスパイクの代表的な形状については、図６を参照されたい。
【００８８】
末梢血流は、脈波血流量（ＢＶＰ）感知装置１５０を用いて感知されるが、これはフォトプレチスモグラフである。ＢＶＰ感知装置１５０は、プロコンポ・プラス（ProComp+）モジュールのチャンネルＢ（例えば、シリアルポート１３４）に接続される必要がある。バイオグラフ（BioGraph）のマニュアルは、チャンネルＨをＢＶＰに用いているが、これは３２Ｈｚでサンプリングされることに注意する必要がある。しかしながら、ＳＭＰ実験については、２５６Ｈｚのより高いサンプリングレートを有するチャンネルＢが推奨される。ＢＶＰ感知装置１５０は、被検者の利き手でない方の中指の先端にテープ留めされる必要があるが、きつくテープ留めし過ぎないように注意する必要があり、そうでないと被検者の指が実験の間にずきずきし始める場合もある。典型的な末梢血流信号（ＢＶＰ信号）が図７に図解される。
【００８９】
（分析用データの作成）：
記録された信号は、実験の各段階についての各被検者の平均の心拍期間（heart period）、平均の脈拍伝播時間、及び平均の末梢血流を計算するために用いられる。これらの値を計算するために、各信号内の心拍の位置を決定しなくてはならない。技術的副作用により壊れた信号のいずれの部分も特定することがまた重要であり、そのため技術的副作用は無視する必要がある。これらのすべての作業は、本発明の発明者の１人によって書かれた「ハートエド（HeartEd）」という名称のコンピュータプログラムを用いて行われる。
【００９０】
どのように心拍データを編集するかについて説明する、ハートエド（HeartEd）コンピュータプログラムのための別のユーザー・マニュアルがある。データの準備処理における幾つかのより重要な工程は、直ぐ下に論じられる：
（１）すべてのパネリストのデータが完了したら、生データは、ＣＤ−ＲＯＭ又は何らかのその他の記憶媒体に保管される必要がある。信号データは、生理コンピュータ１００の「Ｃ：￥ＢＩＯＧＲＡＰＨ￥ＤＡＴＡ」ディレクトリに見出され、アンケート、反応時間、及び注意検査データは、コンピュータ１００の「Ｃ：￥ＰＲＯＧＲＡＭ  ＦＩＬＥＳ￥ＳＭＰａｄｍｉｎ」ディレクトリに位置している（又は２つのコンピュータプラットフォームが用いられる場合、「Ｃ：￥ＰＲＯＧＲＡＭ  ＦＩＬＥＳ￥ＳＭＰａｄｍｉｎ」ディレクトリは、パネリストコンピュータ（示されず）に常駐する）。
（２）ハートエド（HeartEd）プログラムの「Ｆｉｌｅ｜Ｍｉｇｒａｔｅ  ＢｉｏＧｒａｐｈ  Ｆｉｌｅｓ」コマンドが、信号データを、すべての分析ファイルが保存される作業ディレクトリにコピーするために用いられる。
（３）「＊．ｄａｔ」ファイルが、パネリストコンピュータの「Ｃ：￥ＰＲＯＧＲＡＭ  ＦＩＬＥＳ￥ＳＭＰａｄｍｉｎ」ディレクトリから、上記の工程（２）において指定された作業ディレクトリにコピーされる必要がある。
（４）ハートエド（HeartEd）プログラムの「Ｆｉｌｅ｜Ｃｒｅａｔｅ  Ｎｅｗ  Ｓｔｕｄｙ  ｕｓｉｎｇ  Ｔｅｍｐｌａｔｅ」コマンドを実行し、「ＳＭＰ．ｔｐｌ」のテンプレートファイルを開く。スタディのプロパティ（Study Properties）のダイアログにおいて、新しいスタディファイルのディレクトリを、上記の工程（２）において移動先として指定された作業ディレクトリに設定する。
（５）スタディの中の各被検者のすべてのセグメントについて、必要に応じて心拍の位置を編集する。
（６）ハートエド（HeartEd）プログラムの「Ｆｉｌｅ｜Ｇｅｎｅｒａｔｅ  Ｍｅａｓｕｒｅｍｅｎｔｓ  Ｆｉｌｅ」コマンドを実行する。
（７）手順が完了した後、作業ディレクトリは保管される必要がある。
（８）別のパネルで手順を実行する前に、「Ｃ：￥ＢＩＯＧＲＡＰＨ￥ＤＡＴＡ」ディレクトリ内のすべてのサブディレクトリ、及びパネリストコンピュータの「Ｃ：￥ＰＲＯＧＲＡＭ  ＦＩＬＥＳ￥ＳＭＰａｄｍｉｎ」ディレクトリから「＊．ｄａｔ」ファイルを確実に消去する。
【００９１】
（統計分析）：
パネルデータの統計分析は、本発明の発明者によりＡＳＭＰｓｔａｔと呼ばれるコンピュータプログラムにより実行されるが、これはＳＡＳ（登録商標）（ノースカロライナ州キャリーにあるＳＡＳインスティテュート社（SAS Institute,Inc.）より販売される）と呼ばれるコンピュータプログラムにより提供される分析ルーチンを呼び出し、香りと関連する心理的又は生理的測定のいずれかが、ブランクと関連する心理的又は生理的測定に対して異なるか否かを検査する。ＳＡＳ統計分析ルーチンは、期間、製品、順序、及び被検者（順序内にネストされている）の項目を組み込む。ＡＳＭＰｓｔａｔに用いられる統計モデルは、本発明の実験手順の設計に関係している。
【００９２】
ＡＳＭＰｓｔａｔコンピュータプログラムのスクリーンショットが、図８に示される。次の工程はこのプログラムの使用のために推奨されているが、以下のとおりである：
（１）「被検者」及び「順序」の見出しを有する２カラムのデータを含有するカンマ区切り（．ｃｓｖ）ファイルを作成する。「被検者」カラムは、パネルの各被検者に用いられるＩＤを含有し、「順序」カラムは各パネリストのための臭いの提示の順序を含有する。「順序」は、文字Ａ〜Ｄの代わりに数１〜４を用いることが必要である。（「．ｃｓｖ」ファイルはＥｘｃｅｌから、「Ｆｉｌｅ｜Ｓａｖｅ  Ａｓ」コマンドを用い、ファイル形式としてｃｓｖを選択することにより作成することもできる。）
（２）「スタディロード（Load Study）」ボタンをクリックし、ハートエド（HeartEd）コンピュータプログラムにより作成されたスタディファイルを選択する。
（３）検査に用いられる香りの名前をタイプ入力する。
（４）「順序ロード（Load Sequence）」ボタンをクリックし、上記の工程（１）において作成された順序ファイルを選択する。
（５）「データロード（Load Data）」ボタンをクリックし、スタディの「ＡｃｕｔｅＳｔａｔｅ．ｄａｔ」ファイル内の心理的データ、又はスタディの「ＨｅａｒｔＭｅａｓｕｒｅｓ．ｄａｔ」ファイル内の生理的データのいずれかを選択する。
（６）「分析実行（Do Analysis）」ボタンをクリックしてＳＡＳを起動し、統計分析を実行する。分析の結果は、テキストファイル「Ｒｅｐｏｒｔ．ｔｘｔ」内（これは分析の主要部分を含有する）、及び「Ｒｅｐｏｒｔ．ｌｓｔ」（これは詳細なＳＡＳ出力であり、分析に関していずれかのエラー又は問題がある場合に調べる必要がある）にある。
【００９３】
ＡＳＭＰｓｔａｔコンピュータプログラムは、一度に１つのデータファイルのみを処理するが、現在はその出力をファイル「Ｒｅｐｏｒｔ．ｔｘｔ」及び「Ｒｅｐｏｒｔ．ｌｓｔ」に書き込むように設計されており、そのため心理的及び生理的データを処理するためにはプログラムは２回実行されなければならない。ＡＳＭＰｓｔａｔを２回目に実行する前に、レポートの出力ファイル名を変更する必要がある。
【００９４】
「Ｒｅｐｏｒｔ．ｔｘｔ」ファイルは、マイクロソフトのワード（Microsoft Word）（登録商標）において最適に表示される２つの表を含有する。「平均的変化についての全体平均（Overall Means for Average Change）」という題名の第一の表は、表の横列に記載された測定のいずれかがストレス段階及び弛緩段階の間で、香りとは関係なく異なったという証拠があるか否かを示す。統計用語では、これらの検査の帰無仮説は、４つの弛緩段階の間に採取された測定に対して、４つのストレス相の間に採取された測定に差違はないというものである。
【００９５】
平均的変化についての全体平均（Overall Means for Average Change）の表の重要な値は「Ｐｒｏｂ＞｜Ｔ｜」という見出しの縦列にある。この縦列の値が信頼度ａより大きければ、その横列の測定は、ストレス段階対弛緩段階を統計的に分けることはできないため、その測定についての第二の表のいずれの結果も無視される必要がある。この表の例は以下の表＃７に示される（注意：「ＳＭＰ３」は、スタディの名前である）：
【００９６】
【表７】
2005521506.tif 000009
信頼度が０．１０である場合は、表中のすべての測定は、ストレス対弛緩を統計的に分けることができる。しかしながら、信頼度が０．０５である場合には、「集中」の測定はこの実験については有効でなく、そのため第二表のすべての集中の測定は、無視される必要がある。「匂いの好もしさ」及び「匂いの強さ」の横列の値は、匂いの質問はストレス段階の間にのみ尋ねられているため常に０であり、したがってこれらの横列は無視される必要がある。
【００９７】
第二の上記の表は、「最小二乗平均（ＳＥ）の表」という題名であり、これはブランクに対する各香りの効果を比較する情報を含有する。各測定は、表の別の横列に提示される。「種類」の縦列は、比較が、ストレス段階、弛緩段階、又はストレス及び弛緩段階の間の変化（差分）の間で行われるか否かを示す。「処置Ｐｒ＞Ｆ」の縦列は、香りは測定に何の効果も持たなかったという帰無仮説を支持する証拠の程度を示す。この値が信頼度より大きければ、横列は完全に無視される必要がある。残りの縦列は、各香りについてのデータを記載する。「Ｐｒ＞｜Ｔ｜」の縦列は、特定の香りの効果は、ブランクの効果と異ならないという帰無仮説を支持する証拠の程度を示す。この縦列の値が信頼度より小さいか又は等しければ、香りは効果を有するという証拠である。効果は弛緩であるのか、又は刺激であるのかを決定するため、香りの平均はブランクの平均と比較される必要がある。
【００９８】
この第二表（最小二乗平均（ＳＥ）の表）の例は、以下の表＃８に提供される：
【００９９】
【表８】
2005521506.tif 000010
処置の信頼度ａ＝０．１０に関して、「匂いの好ましさ」、「匂いの強度」、「集中（ストレス及び弛緩段階）」、及び「活動的」（ストレス段階のみ）の測定は処置の効果を示し；すべてのその他の横列は無視される必要がある。匂いの好ましさ及び強度のデータはアロマセラピーの行為を反映しない。信頼度ａ＝０．１０を用いると、「集中」の横列内では香りＢのみが、ブランクと異なる効果を示す。ストレス及び弛緩の両段階において、香りＢについての平均の「集中」の測定は、ブランクのものより低く、被検者は、香りＢに暴露されている間はより専念／集中しやすいと感じていることを意味する。「活動的」ストレス段階の横列においては、香りＢ及びＣの両方がブランクと著しく異なる。両方の香りの平均はブランクのものより高く、これは被検者が香りＢ及びＣに暴露されている間はよりエネルギーがあるように感じていることを意味する。
【０１００】
末梢血流感知装置及びＥＫＧ監視装置の両方を用いることにより、心臓から末梢血流感知装置が取り付けられている指までの心拍の脈拍伝播時間を測定することが可能である。個人の血圧が高いほど、伝播時間はより速い。一方、生理的データを入力するために単一の感知装置のみが用いられた場合は、脈拍伝播時間は測定することができない。しかしながら、その他の重要なデータはなお単一感知装置により受信され得る：（１）ＥＫＧ感知装置が単独で用いられた場合は、個人の心拍数及び心拍数の変動を測定することができ；（２）末梢血流（ＰＢＦ）感知装置が単独で用いられた場合は、心拍数及び心拍数の変動、並びに末梢血流を測定することができる。
【０１０１】
図９は、ヒトのストレス応答の別のモデルを描いているが、この場合は図１のものと幾分異なる方法で様々な段階を説明している。ストレッサー事象は３００において示されているが、その後個人に第一に起きることは、工程３０２において見られるように、認知的評価である。この認知的評価の段階は、急性ストレスの心理的構成要素である。３０４における次の段階は情動の統合であり、これもまた急性ストレスの心理的構成要素である。
【０１０２】
３０６における次の段階は生理的応答であり、これは急性ストレスの第一の生理的構成要素である。３０８における最終段階は対処メカニズムを表し、これは、ストレス応答モデルの心理的及び生理的な構成要素を経験した後に、体が取る行為である。
【０１０３】
心理的測定に関して、幾つかの測定が次の特性：筋肉、弛緩、神経、及び集中；第二組の特性：エネルギー、快感、緊張、及び怒りに関して測定され得る。これらの構成要素の各々は、ストレッサー事象又は弛緩事象の前、及び事象の後の両方で測定され得る。その上、香り（又は例えば製品若しくは風味）が導入される場合、香り又は芳香の導入により影響される、ストレス事象又は弛緩事象の間又は後の心理的構成要素を表す、第三組のデータを測定することができる。
【０１０４】
急性ストレスの生理的構成要素に関して、交感神経系は急性ストレスの導入により活性化されるが、幾つかの生理的効果は次のとおりである：個人の瞳孔散大、皮膚付近の毛管収縮、心拍数の増加、気管支拡張、筋肉の緊張、及び胃の運動が抑制されること。これらの身体的又は生理的効果の幾つかは、上記の感知装置により本発明を参照して測定され得る。
【０１０５】
上記のアンケートは、個人（即ち、被検者）の心理的ストレス特性を分析するために、ＰＣ／ワークステーション１００により評価及び計算され得る方法で用いられる。結果の例は、図１０及び１１に棒グラフとして提供される。図１０において、ストレスの心理的及び生理的構成要素の幾つかを図解する棒グラフ３２０が提供される。Ｙ軸はストレスを表し、その中で正の目盛りに沿って数が大きいほど、ストレスの程度は低くなる。Ｘ軸は様々な特性（又は構成要素）を表す。
【０１０６】
最初の３つの構成要素は、３２２における弛緩、３２４における筋肉、及び３２６における神経を表す。これらの３つの構成要素は、上記のように、人々がしばしばストレスを結び付ける身体的症状に、より関連した「新しい質問」によって評価されるように、特定の心理的構成要素による生理的効果である。グラフ３２０は「集中」特性を含まないが、必要に応じて含むことができる。本発明の発明者は、「集中」特性は、弛緩、筋肉、及び神経の特性より有用でないと決定した。
【０１０７】
次の４つの構成要素は被検者の「気分」に関連するが、３３０におけるエネルギー、３３２における快感、３３４における怒り、及び３３６における緊張を含む。これらの構成要素は、上記の表＃５を参照して説明されたように、各アンケートにおいて被検者が答える２９の形容詞のリストから決定される。上述のように、これらの２９の形容詞の「質問」の評価は先行技術において周知である。
【０１０８】
最後の３つの構成要素は、末梢血流感知装置１５０及びＥＫＧ感知装置１５２の身体計測装置から、コンピュータシステム１００により測定された生理的効果を表す。これらの構成要素は次のとおりである：３４０における心拍期間（heart period）、３４２における心拍数の変動、及び３４６における血流。
【０１０９】
ストレス区間及び弛緩区間の間の差異の結果は、図１１のグラフ３５０に図解されるように、棒グラフに表すことができる。同じ１１の構成要素が、次のとおりに列挙される：３５２における弛緩、３５４における筋肉、３５６における神経、３６０におけるエネルギー、３６２における快感、３６４における怒り、３６６における緊張、３７０における心拍期間（heart period）、３７２における心拍数の変動、３７４における血流。正のパーセントの変化は、構成要素が「よりくつろぐ」効果を有したことを意味する一方、負のパーセントの変化は、特定の構成要素が「より刺激する」効果を有したことを示す。
【０１１０】
図１２は、知覚された身体的効果、及び心理的測定に関する気分の特性の更なる例を図解するのと同様に、幾つかの生理的測定を描写している。「ダイヤグラフ」４００は全面的弛緩、筋肉の緊張、神経質、及び専念又は「集中」についての知覚された身体的結果を図解している。最も外側のダイヤ４０２は感情的なストレッサー事象の間の個人の心理的状態を表す一方、最も内側のダイヤ４０６は、ストレッサーが伴われない場合の個人の心理的な知覚された身体的効果を表す。中央のダイヤ４０４は、認知的ストレッサー事象を表す。
【０１１１】
ダイヤグラフ４００は、必要に応じて、代わりに四組の棒グラフで表すこともできる。気分特性グラフ４１０は、棒グラフとして図解されるが、４２０においてエネルギー、４２２において快感、４２４において緊張、及び４２６において怒りを表す。各気分特性は３つの棒を有し、その中で最も左の棒は、認知的ストレッサー事象を表し、中央の棒（これは点が打たれている）は感情的ストレッサーの寄与を表し、一方最も右側の棒（これは斜交平行模様である）はストレッサーの状態がないことを表す。最初の２つの気分特性（即ちエネルギー及び快感）は、棒がより大きいか又はより高いほど、個人にとってはより良好であるように数値で表されていることに注意する必要がある。一方、二番目の２つの特性の緊張及び怒りは、棒の高さが低くなるほど、個人にとってはより良好である。（これは、これらの特性を「ダイヤ」グラフに表さないことの１つのよい理由である。）
生理的測定は棒グラフ４３０に、心拍期間（heart period）（４３２において）、脈拍伝播時間（４３４において）、及び末梢血流（４３６において）について表される。グラフ４３０のすべての３つの棒グラフに関しては、棒が高ければ高いほど、より少ないストレスを個人は経験している。
【０１１２】
図１３は、香り又は芳香が導入されるか又は導入されずに、被検者が活動を経験する間の知覚された身体的効果及び気分特性を図解する。「ダイヤグラフ」４５０は、全面的弛緩、筋肉の緊張、神経質、及び専念／集中についての知覚された身体的効果を示す。最も外側のダイヤ４５２は、作業又は活動が起きる前の個人の知覚された身体的効果を表す。中央のダイヤ形状４５４は、作業又は活動を完了した後の被検者の知覚された身体的効果を表し、この作業又は活動はくつろぐ活動であった。４５６における最も内側のダイヤは、香り又は芳香が導入された間に、くつろぐ活動を完了した後の個人についての知覚された身体的効果を表す。グラフ４５０から見られるように、活動／作業及び芳香／香りの両方が、ある程度の弛緩を導いた。
【０１１３】
図１２に関してと同じように、ダイヤグラフ４５０を、知覚された身体的効果を示すために、各々が３つの棒を有する４つの個々の棒グラフにより表すこともできた。
棒グラフ４６０は気分特性を、４７０におけるエネルギー、４７２における快感、４７４における緊張、及び４７６における怒りについて表す。再び、図１２を参照して述べたように、最初の２つの特性４７０及び４７２は、棒がより大きいか又はより高いほど個人にとってはより良好である一方、二番目の２つの特性の４７４及び４７６は、棒が低ければ低いほど、個人にとってはより良好である。
【０１１４】
各グラフの最も左側の棒は、くつろぐ活動が起きる前の個人の気分特性を表す。中央の棒は、これは点が打たれているが、くつろぐ作業又は活動（例えばシャワーを浴びる又は皮膚に熱いタオルを当てる）を完了した後の個人の気分特性を表す。最も右側の棒は、くつろぐ活動／作業の両方を完了し、その間香り／芳香を導入された後の個人の気分特性を表す。データから見られるように、最も右側の棒はこの場合の最良の結果を示す。
【０１１５】
図１０〜１３に図解されたグラフデータは、個人の急性ストレスの心理的及び生理的構成要素を検査又は測定するために用いられる、入力感知装置及びオルファクトメーター１６０を有する、ＰＣ１００のコンピュータ検査のセットアップを用いて実現され得る出力の種類の代表的なものである。本発明のこの計測システム及び方法は、検査手順の間に心理的効果ど同様に生理的効果を分析することにより、個人の急性ストレスの程度のはるかにより科学的に正確な測定を提供することができる。本発明の方法は、風味又は香りの導入を評価できるだけでなく、作業又は活動の個人（被検者）に対する効果、その作業／活動がくつろぐのか、又は反対であるのかを分析することができる。
【０１１６】
香り、芳香、又は風味に関しては、こうした香り／芳香／風味は、製造業社により販売される製品の中に提供され得るが、その中でこうした製品は、ほとんどの人々に治療的に有益な効果を有することができる。もちろん、製品中に見出されるある種の香り／芳香／風味は、ある人々にはその他のこうした製品より、より広範囲に影響する場合もあるが、本発明の方法は、これらの製品により有益に影響される集団のパーセンテージに関する統計分析を容易に得ることができる。更に、特定の香りは、例えば快い臭いを提供するだけでなく、有益な心理的／生理的効果を個人に与えるために組み合わせて用いることができる。主な香り（これは個人の急性ストレスの程度に有益な効果を与える）が純粋な「臭い」として望ましいとは言えない場合には、その特定の香りは、快い全体の臭い／香りを提供するために、例えば他のオイルによりマスクされ得る。再び、本発明により提供される方法及びハードウェアは、有用な製品に用い得る香り／オイル／風味のこうした混合物を評価するのを助けることができる。その上、この方法及びハードウェアは、「くつろぐ」作業、又は医療又は治療用具の個人への利益（もしあれば）を評価することができる。
【０１１７】
芳香化合物又は製品の香りの濃度が、個人のストレスに重要であり得ることがまた理解される。例えば、低濃度では（１％以下で）ラベンダーはくつろぐが；１０％濃度では、それは刺激となる。少なくとも、混合物の成分の割合と同じほど重要である場合があるため、濃度の重要性は認識されなければならない。
【０１１８】
図２のフローチャートに関連して説明された論理演算は、順序論理を用いて、例えばマイクロプロセッサ技術を用いることにより、又は論理のステート・マシンを用いることにより、又はおそらく個別論理により実行され得ることが理解されるが；更にそれはパラレル・プロセッサを用いて実行され得る。好ましい実施形態は、ＲＯＭ１１２又はＲＡＭ１１４内のメモリセルに保存されるソフトウェア命令を実行するために、マイクロプロセッサ（例えば、マイクロプロセッサ１１０）を用いる。もちろん、その他の回路も、図２に描かれたこれらの論理演算を実行するために、本発明の原理から逸脱することなく用いることができる。
【０１１９】
図２のフローチャート及び図４の検査図に描かれ、上述された正確な論理演算は、全く同じではないが同様の機能を実行するために、本発明の原理から逸脱することなく、幾分変更され得ることが更に理解されるであろう。これらのフローチャート内の幾つかの決定工程及びその他のコマンドの正確な性質は、上記のように特定の代表的な検査手順を志向しており、確かに同様ではあるが、幾分異なる工程を、他のハードウェアのセットアップと共に、又は他の計測装置若しくは感知ソフトウェアと共に、又は例えば他のアンケートの使用により、全体の発明の結果は同じでありながら用いることができる。
【０１２０】
本発明の好ましい実施形態の前述の説明は、例示及び説明の目的で提示してきたものである。それは、包括的であることも、まさに開示されたその形態に本発明を限定することも意図していない。上記教示を考慮すれば、明らかな変更又は変形が可能である。その実施形態が選定され説明されたのは、本発明の原理及びその実際的用途を最良に例証し、それにより当業者が、考えられる特定の用途に適するように様々な実施形態で様々な変更を行って本発明を最良に利用することを可能にするためである。本発明の範囲は、ここに付随する請求項により定義されることを意図する。
【０１２１】
本発明の特定の実施形態について例証及び説明したが、本発明の精神及び範囲から逸脱することなく他の様々な変形及び変更が可能であることが当業者には明らかである。したがって、本発明の範囲内にあるそのようなすべての変形及び変更を添付の特許請求の範囲で扱うものとする。
【図面の簡単な説明】
【０１２２】
【図１】先行技術で既知の、ヒトのストレス応答のモデル図。
【図２】本発明の原理に従う、急性ストレス検査手順の中で実行される幾つかの重要な工程のフローチャート。
【図３】図２の検査手順において用いられる検査コンピュータの主なハードウェア構成要素のブロック図。
【図４】図２のフローチャートに描かれた手順を用いる検査セッションのタイミング図であり、その中に４つのストレス  −  弛緩周期がある。
【図５】図２の検査手順において用いられるＥＫＧ電極の取り付け位置の線図。
【図６】見本のＥＫＧ信号を示すグラフ。
【図７】見本のＢＶＰ信号を示すグラフ。
【図８】図４の検査手順において用いられる、ＡＳＭＰｓｔａｔコンピュータプログラムに用いられる画面の１つの線図。
【図９】先行技術で既知の、ヒトのストレス応答の第二のモデル図。
【図１０】図４の検査手順に従う、被検者のストレス特性の例の棒グラフ。
【図１１】ストレス及び弛緩状態の間の差違を示す、図１０の被検者のストレス特性の棒グラフ。
【図１２】図４の手順を用いて被検者について得られた結果の心理的及び生理的構成要素の棒グラフ及びダイヤグラフ。
【図１３】香り又は芳香が導入された場合に得られた結果を包含する、図４の手順を用いて被検者について得られた結果のダイヤグラフ及び棒グラフ。
【図１】
2005521506.tif 000011
【図２】
2005521506.tif 000012
【図３】
2005521506.tif 000013
【図４】
2005521506.tif 000014
【図５】
2005521506.tif 000015
【図６】
2005521506.tif 000016
【図７】
2005521506.tif 000017
【図８】
2005521506.tif 000018
【図９】
2005521506.tif 000019
【図１０】
2005521506.tif 000020
【図１１】
2005521506.tif 000021
【図１２】
2005521506.tif 000022
【図１３】
2005521506.tif 000023
【国際調査報告】
2005521506.tif 000024
2005521506.tif 000025